(57)【要約】  コネクタは、内腔部を有するオスコネクタ部と、内腔部を有し、内腔部にオスコネクタ部と同様の他のオスコネクタ部が接続可能なメスコネクタ部と、オスコネクタ部と接続方向が互いに平行となるように隣接して設けられたオスロック部またはメスロック部と、メスコネクタ部と接続方向が互いに平行となるように隣接して設けられ、オスロック部と同様の他のオスロック部が連結可能なメスロック部、またはメスロック部と同様の他のメスロック部が連結可能なオスロック部と、弾性材料で構成され、他のオスロック部とメスロック部とが連結されるロック状態となったとき、他のオスコネクタ部とメスコネクタ部との接続の液密性を保持するシール部材とを備え、ロック状態を解除するロック解除時に、ロック解除を認識可能なロック解除音を発するよう構成されている。
2008062741.tif 000002
【特許請求の範囲】
【請求項１】
内腔部を有するオスコネクタ部と、
内腔部を有し、当該内腔部に前記オスコネクタ部と同様の他のオスコネクタ部が接続可能なメスコネクタ部と、
前記オスコネクタ部と接続方向が互いに平行となるように隣接して設けられたオスロック部またはメスロック部と、
前記メスコネクタ部と接続方向が互いに平行となるように隣接して設けられ、前記オスロック部と同様の他のオスロック部が連結可能なメスロック部、または該メスロック部と同様の他のメスロック部が連結可能なオスロック部と、
弾性材料で構成され、前記他のオスロック部と前記メスロック部とが連結されるロック状態となったとき、前記他のオスコネクタ部と前記メスコネクタ部との接続の液密性を保持するシール部材とを備え、
前記ロック状態を解除するロック解除時に、該ロック解除を認識可能なロック解除音を発するよう構成されていることを特徴とするコネクタ。
【請求項２】
前記ロック状態のとき、前記他のオスコネクタ部の内腔部と前記メスコネクタ部の内腔部とが連通して、液体が流通可能となる請求項１に記載のコネクタ。
【請求項３】
前記オスロック部は、互いに接近・離間する長尺な一対の爪部と、該両爪部の一端側に設けられ、他端側が互いに離間するように付勢する付勢部とを有し、
前記メスロック部は、前記他のオスロック部の前記オスロック部と同様の前記各爪部とそれぞれ係合可能な係合部と、前記他のオスロック部の前記オスロック部と同様の前記両爪部を互いに接近させるように操作可能な操作部とを有する請求項１に記載のコネクタ。
【請求項４】
前記各爪部は、それぞれ、その他端部に設けられ、前記爪部同士が接近・離間する方向とほぼ平行な爪部側第１の面と該爪部側第１の面にほぼ垂直な爪部側第２の面とを有する段差部と、前記爪部側第１の面に隣接し、該爪部側第１の面と鋭角をなす爪部側第３の面を有する鋭角部とを備え、
前記係合部は、前記ロック状態で、前記爪部側第１の面に当接する係合部側第１の面と、前記爪部側第２の面に当接する係合部側第２の面とを有し、
前記ロック状態で、前記操作部を操作することにより、前記段差部は、前記爪部側第１の面が前記係合部側第１の面を乗り越え、これにより、前記ロック解除音を発する請求項３に記載のコネクタ。
【請求項５】
前記ロック状態とするとき、前記メスロック部と前記他のオスロック部とを互いに接近する方向に押圧する請求項４に記載のコネクタ。
【請求項６】
前記押圧操作完了直後に、前記爪部側第１の面と係合部側第１の面との間に間隙が生じる請求項５に記載のコネクタ。
【請求項７】
前記鋭角部の動作方向に平行な仮想面を想定したとき、前記鋭角部の位置は、前記仮想面から突出する請求項４に記載のコネクタ。
【請求項８】
前記ロック状態とした際、該ロック状態を認識可能なロック音を発するよう構成されている請求項１に記載のコネクタ。
【請求項９】
前記ロック解除音と前記ロック音とは、音質および／または音量が互いに異なる請求項８に記載のコネクタ。
【請求項１０】
前記シール部材は、前記メスコネクタ部の内腔部に固定されており、前記ロック状態のときに前記他のオスコネクタ部の端部に密着する面と、該面に形成され、前記ロック状態のときに開くスリットとを有する請求項１に記載のコネクタ。
【請求項１１】
前記メスコネクタ部を複数備え、
少なくとも１つの前記メスコネクタ部と前記オスコネクタ部とは、それらの中心線が互いにほぼ直交するように配置されている請求項１に記載のコネクタ。
【請求項１２】
前記メスコネクタ部を複数備え、
少なくとも１つの前記メスコネクタ部と前記オスコネクタ部とは、それらの中心線が互いに平行で、かつ、前記メスコネクタ部の開口部と前記オスコネクタ部の開口部とが互いに反対の方向を向くように配置されている請求項１に記載のコネクタ。
【請求項１３】
内腔部を有するオスコネクタ部と、
内腔部を有し、当該内腔部に前記オスコネクタ部と同様の他のオスコネクタ部が接続可能なメスコネクタ部と、
前記オスコネクタ部と接続方向が互いに平行となるように隣接して設けられたオスロック部またはメスロック部と、
前記メスコネクタ部と接続方向が互いに平行となるように隣接して設けられ、前記オスロック部と同様の他のオスロック部が連結可能なメスロック部、または該メスロック部と同様の他のメスロック部が連結可能なオスロック部と、
弾性材料で構成され、前記他のオスロック部と前記メスロック部とが連結されるロック状態となったとき、前記他のオスコネクタ部と前記メスコネクタ部との接続の液密性を保持するシール部材とを備え、
前記オスロック部は、互いに接近・離間する長尺な一対の爪部と、該両爪部の一端側に設けられ、他端側が互いに離間するように付勢する付勢部とを有しており、
前記メスロック部は、前記他のオスロック部の前記オスロック部と同様の前記各爪部とそれぞれ係合可能な係合部と、前記他のオスロック部の前記オスロック部と同様の前記両爪部を互いに接近させるように操作可能な操作部とを有しており、
前記各爪部は、それぞれ、その他端部に設けられ、前記爪部同士が接近・離間する方向とほぼ平行な爪部側第１の面と該爪部側第１の面にほぼ垂直な爪部側第２の面とを有する段差部と、前記爪部側第１の面に隣接し、該爪部側第１の面と鋭角をなす爪部側第３の面を有する鋭角部とを備え、
前記係合部は、前記ロック状態で、前記爪部側第１の面に当接する係合部側第１の面と、前記爪部側第２の面に当接する係合部側第２の面とを備え、
前記ロック状態で、前記操作部を操作することにより、前記段差部は、前記爪部側第１の面が前記係合部側第１の面を乗り越え、これにより、前記ロック解除音を発し、
前記ロック状態とするとき、前記メスロック部と前記他のオスロック部とを互いに接近する方向に押圧し、その押圧操作完了直後に、前記爪部側第１の面と係合部側第１の面との間に間隙が生じることを特徴とするコネクタ。
【請求項１４】
内腔部を有するオスコネクタ部と、
内腔部を有し、当該内腔部に前記オスコネクタ部と同様の他のオスコネクタ部が接続可能なメスコネクタ部と、
前記オスコネクタ部と接続方向が互いに平行となるように隣接して設けられたオスロック部またはメスロック部と、
前記メスコネクタ部と接続方向が互いに平行となるように隣接して設けられ、前記オスロック部と同様の他のオスロック部が連結可能なメスロック部、または該メスロック部と同様の他のメスロック部が連結可能なオスロック部と、
弾性材料で構成され、前記他のオスロック部と前記メスロック部とが連結されるロック状態となったとき、前記他のオスコネクタ部と前記メスコネクタ部との接続の液密性を保持するシール部材とを備え、
前記オスロック部は、互いに接近・離間する長尺な一対の爪部と、該両爪部の一端側に設けられ、他端側が互いに離間するように付勢する付勢部とを有しており、
前記メスロック部は、前記他のオスロック部の前記オスロック部と同様の前記各爪部とそれぞれ係合可能な係合部と、前記他のオスロック部の前記オスロック部と同様の前記両爪部を互いに接近させるように操作可能な操作部とを有しており、
前記各爪部は、それぞれ、その他端部に設けられ、前記爪部同士が接近・離間する方向とほぼ平行な爪部側第１の面と該爪部側第１の面にほぼ垂直な爪部側第２の面とを有する段差部と、前記爪部側第１の面に隣接し、該爪部側第１の面と鋭角をなす爪部側第３の面を有する鋭角部とを備え、
前記係合部は、前記ロック状態で、前記爪部側第１の面に当接する係合部側第１の面と、前記爪部側第２の面に当接する係合部側第２の面とを備え、
前記ロック状態で、前記操作部を操作することにより、前記段差部は、前記爪部側第１の面が前記係合部側第１の面を乗り越え、これにより、前記ロック解除音を発し、
前記鋭角部の動作方向に平行な仮想面を想定したとき、前記鋭角部の位置は、前記仮想面から突出することを特徴とするコネクタ。
【請求項１５】
請求項１ないし１４のいずれかに記載のコネクタと、
チューブと、該チューブの一端部に設置され、前記コネクタに接続可能なチューブ側コネクタとを有するチューブ組立体とを備えることを特徴とする輸液チューブセット。
【発明の詳細な説明】
【技術分野】
【０００１】
本発明は、コネクタおよび輸液チューブセットに関する。
【背景技術】
【０００２】
輸液、輸血、栄養投与等に用いる液体の流路接続を必要とする医療用具においては、薬液、血液、流動食等の液体を持続的、一時的に流す際、液体の流路（回路）の接続、脱離を必要に応じて行う必要がある。このとき、回路の途中に液体の流路同士を接続する接続具を取り付けることが知られている。このような接続具の代表的なものとしては、例えば、特許文献１に記載されたものがある。【０００３】
この接続具（コネクタ）は、オスコネクタ部と、メスコネクタ部と、オスロック部と、メスロック部とを有するものである。このような構成の接続具同士を接続した際、一方のオスロック部と他方のメスロック部とがロック状態となるとともに、一方のオスコネクタ部と他方のメスコネクタ部とが連通して、液体が通過可能となる。接続具同士がロック状態となるとき、一方のオスロック部が弾性的に変形して、他方のメスロック部とが係合する。この係合時に、ロック状態を確認する（認識する）ことができるロック音（クリック音）が発せられる。【０００４】
しかしながら、ロック状態を解除したロック解除時には、そのロック解除を確認することができるような音（ロック解除音）は、発せられない。このため、ロック解除がされたか否かが分からず、例えば、ロック状態の接続具同士に対して、ロック解除操作を行なったつもりでも、実際にはロック解除がされていない場合が生じることがある。この場合、操作者は、ロック解除がなされたと思って、接続具同士を互いに反対方向へ引張ると、その引張り力の大きさによっては、一方のオスロック部と他方のメスロック部とに無理な力が加わってしまい、遂には、これらのロック部を破損させてしまうおそれがあった。【０００５】
【特許文献１】国際公開２００６／０６８２１１号パンフレット
【発明の開示】
【０００６】
本発明の目的は、ロック解除を確実に認識することができるコネクタおよび輸液チューブセットを提供することにある。
【０００７】
上記目的を達成するために、本発明は、
内腔部を有するオスコネクタ部と、
内腔部を有し、当該内腔部に前記オスコネクタ部と同様の他のオスコネクタ部が接続可能なメスコネクタ部と、
前記オスコネクタ部と接続方向が互いに平行となるように隣接して設けられたオスロック部またはメスロック部と、
前記メスコネクタ部と接続方向が互いに平行となるように隣接して設けられ、前記オスロック部と同様の他のオスロック部が連結可能なメスロック部、または該メスロック部と同様の他のメスロック部が連結可能なオスロック部と、
弾性材料で構成され、前記他のオスロック部と前記メスロック部とが連結されるロック状態となったとき、前記他のオスコネクタ部と前記メスコネクタ部との接続の液密性を保持するシール部材とを備え、
前記ロック状態を解除するロック解除時に、該ロック解除を認識可能なロック解除音を発するよう構成されていることを特徴とするコネクタである。
【０００８】
これにより、ロック解除を確実に認識することができる。
【０００９】
また、本発明のコネクタでは、前記ロック状態のとき、前記他のオスコネクタ部の内腔部と前記メスコネクタ部の内腔部とが連通して、液体が流通可能となるのが好ましい。
【００１０】
これにより、ロック状態では、メスコネクタ部と他のオスコネクタ部との間を液体が確実に通過することができる。
【００１１】
また、本発明のコネクタでは、前記オスロック部は、互いに接近・離間する長尺な一対の爪部と、該両爪部の一端側に設けられ、他端側が互いに離間するように付勢する付勢部とを有し、
前記メスロック部は、前記他のオスロック部の前記オスロック部と同様の前記各爪部とそれぞれ係合可能な係合部と、前記他のオスロック部の前記オスロック部と同様の前記両爪部を互いに接近させるように操作可能な操作部とを有するのが好ましい。
【００１２】
これにより、確実にロック状態となり、また、そのロック状態を確実に解除することができる。
【００１３】
また、本発明のコネクタでは、前記各爪部は、それぞれ、その他端部に設けられ、前記爪部同士が接近・離間する方向とほぼ平行な爪部側第１の面と該爪部側第１の面にほぼ垂直な爪部側第２の面とを有する段差部と、前記爪部側第１の面に隣接し、該爪部側第１の面と鋭角をなす爪部側第３の面を有する鋭角部とを備え、
前記係合部は、前記ロック状態で、前記爪部側第１の面に当接する係合部側第１の面と、前記爪部側第２の面に当接する係合部側第２の面とを有し、
前記ロック状態で、前記操作部を操作することにより、前記段差部は、前記爪部側第１の面が前記係合部側第１の面を乗り越え、これにより、前記ロック解除音を発するのが好ましい。
【００１４】
これにより、ロック解除をより確実に認識することができる。
【００１５】
また、本発明のコネクタでは、前記ロック状態とするとき、前記メスロック部と前記他のオスロック部とを互いに接近する方向に押圧するのが好ましい。
【００１６】
これにより、ロック状態への操作を容易に行なうことできる。
【００１７】
また、本発明のコネクタでは、前記押圧操作完了直後に、前記爪部側第１の面と係合部側第１の面との間に間隙が生じるのが好ましい。
【００１８】
これにより、係合部側第２の面に爪部側第２の面が衝突した際にその衝突が比較的大きな衝突となり、よって、ロック状態をより確実に認識（確認）することができる。
【００１９】
また、本発明のコネクタでは、前記鋭角部の動作方向に平行な仮想面を想定したとき、前記鋭角部の位置は、前記仮想面から突出するのが好ましい。
【００２０】
これにより、はっきりとしたロック解除音を発し易い。また、同様に、はっきりとしたロック音（ロック接続音）を発し易い。
【００２１】
また、本発明のコネクタでは、前記ロック状態とした際、該ロック状態を認識可能なロック音を発するよう構成されているのが好ましい。
【００２２】
これにより、ロック状態となったのを確実に認識することができる。
【００２３】
また、本発明のコネクタでは、前記ロック解除音と前記ロック音とは、音質および／または音量が互いに異なるのが好ましい。
【００２４】
これにより、これらの音質や音量を聞き分けることにより、コネクタ同士がロック状態となっているか、または、ロック解除状態となっているかを認識することができる。
【００２５】
また、本発明のコネクタでは、前記シール部材は、前記メスコネクタ部の内腔部に固定されており、前記ロック状態のときに前記他のオスコネクタ部の端部に密着する面と、該面に形成され、前記ロック状態のときに開くスリットとを有するのが好ましい。
【００２６】
これにより、ロック状態では、メスコネクタ部と他のオスコネクタ部とが液密に接続され、これらのコネクタ部間を液体が確実に通過することができる。
【００２７】
また、本発明のコネクタでは、前記メスコネクタ部を複数備え、
少なくとも１つの前記メスコネクタ部と前記オスコネクタ部とは、それらの中心線が互いにほぼ直交するように配置されているのが好ましい。
【００２８】
これにより、コネクタ内を通過する液体の流れの方向を変えることができる。
【００２９】
また、本発明のコネクタでは、前記メスコネクタ部を複数備え、
少なくとも１つの前記メスコネクタ部と前記オスコネクタ部とは、それらの中心線が互いに平行で、かつ、前記メスコネクタ部の開口部と前記オスコネクタ部の開口部とが互いに反対の方向を向くように配置されているのが好ましい。
【００３０】
これにより、例えば、２つのコネクタ同士を接続する際、メスコネクタ部と他のオスコネクタ部とを接続することで、ほぼ直線的にコネクタ同士を接続することができる。
【００３１】
上記目的を達成するために、本発明は、
内腔部を有するオスコネクタ部と、
内腔部を有し、当該内腔部に前記オスコネクタ部と同様の他のオスコネクタ部が接続可能なメスコネクタ部と、
前記オスコネクタ部と接続方向が互いに平行となるように隣接して設けられたオスロック部またはメスロック部と、
前記メスコネクタ部と接続方向が互いに平行となるように隣接して設けられ、前記オスロック部と同様の他のオスロック部が連結可能なメスロック部、または該メスロック部と同様の他のメスロック部が連結可能なオスロック部と、
弾性材料で構成され、前記他のオスロック部と前記メスロック部とが連結されるロック状態となったとき、前記他のオスコネクタ部と前記メスコネクタ部との接続の液密性を保持するシール部材とを備え、
前記オスロック部は、互いに接近・離間する長尺な一対の爪部と、該両爪部の一端側に設けられ、他端側が互いに離間するように付勢する付勢部とを有しており、
前記メスロック部は、前記他のオスロック部の前記オスロック部と同様の前記各爪部とそれぞれ係合可能な係合部と、前記他のオスロック部の前記オスロック部と同様の前記両爪部を互いに接近させるように操作可能な操作部とを有しており、
前記各爪部は、それぞれ、その他端部に設けられ、前記爪部同士が接近・離間する方向とほぼ平行な爪部側第１の面と該爪部側第１の面にほぼ垂直な爪部側第２の面とを有する段差部と、前記爪部側第１の面に隣接し、該爪部側第１の面と鋭角をなす爪部側第３の面を有する鋭角部とを備え、
前記係合部は、前記ロック状態で、前記爪部側第１の面に当接する係合部側第１の面と、前記爪部側第２の面に当接する係合部側第２の面とを備え、
前記ロック状態で、前記操作部を操作することにより、前記段差部は、前記爪部側第１の面が前記係合部側第１の面を乗り越え、これにより、前記ロック解除音を発し、
前記ロック状態とするとき、前記メスロック部と前記他のオスロック部とを互いに接近する方向に押圧し、その押圧操作完了直後に、前記爪部側第１の面と係合部側第１の面との間に間隙が生じることを特徴とするコネクタである。
【００３２】
これにより、ロック解除を確実に認識することができる。
【００３３】
上記目的を達成するために、本発明は、
内腔部を有するオスコネクタ部と、
内腔部を有し、当該内腔部に前記オスコネクタ部と同様の他のオスコネクタ部が接続可能なメスコネクタ部と、
前記オスコネクタ部と接続方向が互いに平行となるように隣接して設けられたオスロック部またはメスロック部と、
前記メスコネクタ部と接続方向が互いに平行となるように隣接して設けられ、前記オスロック部と同様の他のオスロック部が連結可能なメスロック部、または該メスロック部と同様の他のメスロック部が連結可能なオスロック部と、
弾性材料で構成され、前記他のオスロック部と前記メスロック部とが連結されるロック状態となったとき、前記他のオスコネクタ部と前記メスコネクタ部との接続の液密性を保持するシール部材とを備え、
前記オスロック部は、互いに接近・離間する長尺な一対の爪部と、該両爪部の一端側に設けられ、他端側が互いに離間するように付勢する付勢部とを有しており、
前記メスロック部は、前記他のオスロック部の前記オスロック部と同様の前記各爪部とそれぞれ係合可能な係合部と、前記他のオスロック部の前記オスロック部と同様の前記両爪部を互いに接近させるように操作可能な操作部とを有しており、
前記各爪部は、それぞれ、その他端部に設けられ、前記爪部同士が接近・離間する方向とほぼ平行な爪部側第１の面と該爪部側第１の面にほぼ垂直な爪部側第２の面とを有する段差部と、前記爪部側第１の面に隣接し、該爪部側第１の面と鋭角をなす爪部側第３の面を有する鋭角部とを備え、
前記係合部は、前記ロック状態で、前記爪部側第１の面に当接する係合部側第１の面と、前記爪部側第２の面に当接する係合部側第２の面とを備え、
前記ロック状態で、前記操作部を操作することにより、前記段差部は、前記爪部側第１の面が前記係合部側第１の面を乗り越え、これにより、前記ロック解除音を発し、
前記鋭角部の動作方向に平行な仮想面を想定したとき、前記鋭角部の位置は、前記仮想面から突出することを特徴とするコネクタである。
【００３４】
これにより、ロック解除を確実に認識することができる。
【００３５】
上記目的を達成するために、本発明は、
本発明のコネクタと、
チューブと、該チューブの一端部に設置され、前記コネクタに接続可能なチューブ側コネクタとを有するチューブ組立体とを備えることを特徴とする輸液チューブセットである。
【００３６】
これにより、ロック解除を確実に認識することができる。
【図面の簡単な説明】
【００３７】
【図１】図１は、本発明のコネクタを示す斜視図である。
【図２】図２は、本発明のコネクタを示す斜視図である。
【図３】図３は、本発明のコネクタを示す斜視図である。
【図４】図４は、図１中のＡ−Ａ線断面図である。
【図５】図５は、図４（ｂ）の部分拡大詳細図である。
【図６】図６は、図４（ｃ）の部分拡大詳細図である。
【図７】図７は、図１に示すコネクタのロック解除状態を順に示す部分拡大詳細図（断面図）である。
【図８】図８は、図１に示すコネクタのロック解除状態を順に示す部分拡大詳細図（断面図）である。
【図９】図９は、図２中のＢ−Ｂ線断面図である。
【図１０】図１０は、図１に示すコネクタが備える弁体（シール部材）を示す斜視図である。
【図１１】図１１は、図１中のＣ−Ｃ線断面図である。
【図１２】図１２は、図３中のＤ−Ｄ線断面図である。
【図１３】図１３は、図１に示すコネクタを備えた本発明の輸液チューブセットの平面図である。
【図１４】図１４は、図１３に示す輸液チューブセットの各輸液チューブを接続した状態を示す平面図である。
【発明を実施するための最良の形態】
【００３８】
以下、本発明のコネクタおよび輸液チューブセットを添付図面に示す好適な実施形態に基づいて詳細に説明する。【００３９】
図１〜図３は、それぞれ、本発明のコネクタを示す斜視図、図４は、図１中のＡ−Ａ線断面図、図５は、図４（ｂ）の部分拡大詳細図、図６は、図４（ｃ）の部分拡大詳細図、図７および図８は、それぞれ、図１に示すコネクタのロック解除状態を順に示す部分拡大詳細図（断面図）、図９は、図２中のＢ−Ｂ線断面図、図１０は、図１に示すコネクタが備える弁体（シール部材）を示す斜視図、図１１は、図１中のＣ−Ｃ線断面図、図１２は、図３中のＤ−Ｄ線断面図、図１３は、図１に示すコネクタを備えた本発明の輸液チューブセットの平面図、図１４は、図１３に示す輸液チューブセットの各輸液チューブを接続した状態を示す平面図である。なお、説明の都合上、コネクタの長手方向を「ｘ軸方向」、ｘ軸方向に垂直な方向をそれぞれ「ｙ軸方向」、「ｚ軸方向」という。また、図１０〜図１４においては、図中の下側を「先端」、上側を「基端」として説明する。【００４０】
図１３および図１４に示す輸液チューブセット（輸液セット）１は、生体（患者）に輸液を注入（投与）する装置（セット）である。【００４１】
輸液には、例えば、薬液、補正用電解質液、生理食塩水等、生体に投与し得るあらゆる液が含まれる。【００４２】
また、薬液中の薬剤の種類は、特に限定されず、例えば、鎮静薬、静脈麻酔薬、麻酔系鎮痛薬、局所麻酔薬、非脱分極性筋弛緩薬、昇圧薬、降圧薬、冠血管拡張薬、利尿薬、抗不整脈薬、気管支拡張薬、止血剤、ビタミン剤、抗生剤、脂肪乳剤等いかなるものでもよい。【００４３】
図１３に示すように、輸液チューブセット１は、第１の輸液チューブ（第１のチューブ組立体）４ｂと、第２の輸液チューブ（第２のチューブ組立体）４ａと、第１の輸液チューブ４ｂおよび第２の輸液チューブ４ａのそれぞれの一端部が接続可能なコネクタ５Ａと、第１の輸液チューブ４ｂおよび第２の輸液チューブ４ａのそれぞれの他端部に設けられる瓶針４５１（接続部）と、患者に対し輸液を投与する輸液投与部２とを備えている。以下、これらの各構成要素について順次説明する。【００４４】
第１の輸液チューブ４ｂ側（図１３中右側）のコネクタ５Ａと、第２の輸液チューブ４ａ側（図１３中左側）のコネクタ５Ａとは、互いにほぼ同様の構成であるため、以下、第２の輸液チューブ４ａ側のコネクタ５Ａについて代表的に説明する。【００４５】
図１〜図３に示すように、コネクタ５Ａは、オスコネクタ部６と、メスコネクタ部７Ａおよび７Ｂと、オスロック部８Ａと、メスロック部９Ａおよび９Ｂと、弁体（シール部材）５１とを備えている。なお、図１〜図３は、それぞれ、コネクタ５Ａとコネクタ５Ａ’との接続前状態、コネクタ５Ａとコネクタ５Ａ’とのハーフロック状態、コネクタ５Ａとコネクタ５Ａ’とのロック状態を示している。【００４６】
ここで、「コネクタ５Ａ’」とは、コネクタ５Ａと同様のオスコネクタ部６およびオスロック部８Ａとを備えているコネクタのことである。このコネクタは、後述する第２の輸液チューブ４ａが有するコネクタ（チューブ側コネクタ）４３に相当するものである。【００４７】
また、「ハーフロック（仮止め）状態」とは、コネクタ５Ａとコネクタ５Ａ’とが完全に接続されていない状態、すなわち、コネクタ５Ａとコネクタ５Ａ’とを容易に離間させることができる状態のことである。【００４８】
また、「ロック状態」とは、コネクタ５Ａ（メスロック部９Ｂ）とコネクタ５Ａ’（オスロック部８Ａ）とが完全に接続された状態、すなわち、後述するコネクタ５Ａのメスロック部９Ｂの操作部９３を操作しない限り、コネクタ５Ａとコネクタ５Ａ’との接続が解除されない状態のことである。【００４９】
図１（図２および図３も同様）に示すように、オスコネクタ部６は、オスコネクタ部本体６１と、管状部６２とを有している。【００５０】
管状部６２は、オスコネクタ部本体６１からｘ軸正方向に突出して形成されている。この管状部６２は、液体が通過する液体流路（内腔部）６２１と、ルアーテーパ部６２２とを有している。【００５１】
液体流路６２１は、オスコネクタ部本体６１内に連通している。
ルアーテーパ部６２２は、オスコネクタ部６の開口部６２３側の外周部に、その外径が開口部６２３の方向に向かって漸減するように形成されている。【００５２】
メスコネクタ部７Ａおよび７Ｂは、それぞれ、コネクタ５Ａ’のオスコネクタ部６が接続可能な部位である。メスコネクタ部７Ａとメスコネクタ部７Ｂとの形状（構成）は、ほぼ同一であるため、以下、メスコネクタ部７Ｂについて代表的に説明する。【００５３】
図１１に示すように、メスコネクタ部７Ｂは、メスコネクタ部本体７２と、蓋部（キャップ）７３とを備えている。【００５４】
図１１に示すメスコネクタ部本体７２は、その先端部に、形状が有底筒状の弁体設置部７２１が形成されている。この弁体設置部７２１は、内部の基端側に第２の内腔部（内腔部）７２３と、先端側に第２の内腔部７２３と連通する第３の内腔部（内腔部）７２４とが形成されている。第２の内腔部７２３は、その内径が後述する蓋部７３に形成された第１の内腔部（内腔部）７３１より拡径しており、第３の内腔部７２４（内周面７２８）は、その内径が第２の内腔部７２３より縮径している。この第３の内腔部７２４の内径は、後述する弁体５１の胴部５５（外周面５５１）の外径より若干大きいのが好ましい。【００５５】
また、メスコネクタ部本体７２の底面７２２の中心部には、管状体で構成された内部突起７２５が設けられている。オスコネクタ部６を第１の内腔部７３１（接続口７３２）に接続して、弁体５１が押圧され始めたとき、この内部突起７２５により、弁体５１の内部が支えられて、弁体５１に座屈が生じる（弁体５１がくの字状に折れる）のを防止することができる（図１２参照）。また、液体がコネクタ５Ａ内を通過するに際し、液体の滞留が生じるのを防ぐことができる。【００５６】
また、この内部突起７２５は、その内腔がオスコネクタ部本体６１の内部に形成され、液体が通過可能な流路６１１に連通している。これにより、第２の内腔部７２３と第３の内腔部７２４とは、内部突起７２５を介して流路６１１に連通している。【００５７】
また、弁体設置部７２１の外周面７２６の先端側には、基端側より拡径した段差部７２７が設けられている。【００５８】
図１１に示す蓋部７３は、内部に弁体５１を収納する空間（内腔部）を有し、メスコネクタ部本体７２の基端側（弁体設置部７２１）に連結されるものである。【００５９】
蓋部７３の内部には、後述する弁体５１の頭部５０が挿入可能な第１の内腔部７３１と、第１の内腔部７３１に連通し、第１の内腔部７３１より拡径した嵌合部７３３とが形成されている。【００６０】
第１の内腔部７３１は、その形状が弁体５１の頭部５０の外形に対応するよう形成されている。また、第１の内腔部７３１の基端側には、オスコネクタ部６を接続するための接続口（接続部）７３２が形成されており、その径は、第１の内腔部７３１の先端側の径より縮径している。【００６１】
第１の内腔部７３１の内周面７３４には、軸方向に沿い、第１の内腔部７３１の径方向に突出した複数のリブ７３５が設けられている。オスコネクタ部６をコネクタ５Ａ（接続口７３２）に接続したとき、このリブ７３５により、弁体５１が支えられて、弁体５１に座屈が生じる（弁体５１が倒れる）のを防止することができる。また、リブ７３５の個数は、特に限定されず、例えば、２〜１０個であるのが好ましく、４〜８つであるのがより好ましい。【００６２】
嵌合部７３３の先端側には、弁体設置部７２１の段差部７２７と嵌合する段差部７３６が形成されており、その径は、嵌合部７３３の基端側の径より拡径している。また、段差部７３６の内径は、弁体設置部７２１の段差部７２７の外径とほぼ同等またはそれより若干小さいのが好ましい。これにより、蓋部７３（段差部７３６）とメスコネクタ部本体７２（段差部７２７）とが強固に嵌合（連結）する（液密に接する）ことができ、よって、コネクタ５Ａの内部の液体が漏れるのを防止することができる。また、蓋部７３とメスコネクタ部本体７２とが連結した際、第１の内腔部７３１と第２の内腔部７２３とが連通し、第１の内腔部７３１、第２の内腔部７２３および第３の内腔部７２４で形成された空間に弁体５１を設置（収納）することができる。【００６３】
なお、メスコネクタ部本体７２と蓋部７３との固定方法としては、嵌合に限定されず、例えば、かしめ、接着剤による接着、熱融着、超音波融着等の融着等であってもよい。【００６４】
図１（図２および図３も同様）に示すように、メスコネクタ部７Ａは、オスコネクタ部本体６１（オスコネクタ部６）に対し、ｘ軸負方向に設けられている。すなわち、メスコネクタ部７Ａは、その中心線がオスコネクタ部６の中心線と平行で、かつ、メスコネクタ部７Ａの開口部７１とオスコネクタ部６の開口部６２３とが互いに反対の方向を向くように配置されている。【００６５】
これにより、例えば、２つのコネクタ５同士を接続する際、一方のオスコネクタ部６と他方のメスコネクタ部７Ａとを接続することで、ほぼ直線的にコネクタ５同士を接続することができる。【００６６】
メスコネクタ部７Ｂは、オスコネクタ部本体６１（オスコネクタ部６）に対し、ｚ軸正方向に設けられている。すなわち、メスコネクタ部７Ｂは、その中心線がオスコネクタ部６の中心線とほぼ直交するように設けられている。【００６７】
このようなメスコネクタ部７Ａおよび７Ｂが設けられていることにより、異なる２方向から液体をオスコネクタ部６へ送ることができたり、オスコネクタ部６からの液体を異なる２方向へ分岐させたりすることができる。【００６８】
図１１および図１２に示すように、メスコネクタ部７Ａ内およびメスコネクタ部７Ｂ内には、それぞれ、弁体５１が収納（固定）されている。【００６９】
各弁体５１は、弾性材料で構成されている。この弾性材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。このような弾性材料を用いることにより、弁体５１の頂面５１１に適度な弾性を得ることができ、よって、頂面５１１がオスコネクタ部６の開口部（端部）６２３に密着ことができる（図１２参照）。【００７０】
図１０に示すように、弁体５１は、頭部５０と、頭部５０の先端側に設けられた（形成された）胴部５５とを有している。【００７１】
頭部５０は、その形状が有底筒状をなしており、液体が通過可能な内腔部５１５と、平面状の頂面５１１（底部５１３）から内腔部５１５に到達するスリット５１２とが形成されている。このスリット５１２は、その形状がほぼ一文字状をなしている。スリット５１２の形状がこのように簡単であることにより、より容易に（確実に）スリット５１２が開口する（開く）ことができる。また、頂面５１１が平面状をなしていることにより、頂面５１１（スリット５１２）を容易に消毒することができる。【００７２】
図１に示すように、頂面５１１は、メスコネクタ部７Ａの開口部７１から露出している。また、この頂面５１１は、メスコネクタ部７Ａの端面とほぼ同一平面上に位置している。【００７３】
頭部５０は、その頂面５１１付近の外径が胴部５５に向って（軸方向に向って）漸増するテーパ状をなすテーパ部５６と、その先端に設けられた外径一定部５７とを有している。【００７４】
また、テーパ部５６には、テーパ部５６の一部を除去した切欠き部５６１が形成されている。すなわち、頭部５０には、テーパ部５６と外径一定部５７とをまたぐように除去した切欠き部５６１が形成されている。【００７５】
これにより、コネクタ５Ａに接続（挿入）されているコネクタ５Ａ’のオスコネクタ部６を抜去したとき、すなわち、ロック状態を解除したとき、弁体５１（頭部５０）が蓋部７３の第１の内腔部７３１により容易に入り込むことができ、よって、より確実にスリット５１２が閉じることができる。【００７６】
また、頭部５０は、スリット５１２が閉じる際に押される、突出した２つの当接部５２を備えている。これら２つの当接部５２は、それぞれ、頭部５０の頂面５１１付近に形成され、スリット５１２が閉じる方向（図１０中、矢印方向）と反対方向に突出している。【００７７】
このような当接部５２により、頭部５０が蓋部７３の第１の内腔部７３１に挿入されているとき、第１の内腔部７３１の内周面７３４が当接部５２を押圧するため、スリット５１２をより確実に閉じることができる（図１１参照）。また、これにより、コネクタ５Ａ内の液体の圧力（内圧）に対する耐圧性を向上させることができる。【００７８】
以上のように構成された頭部５０は、コネクタ５Ａ’のオスコネクタ部６が接続されていないとき、スリット５１２が閉じた状態で蓋部７３の第１の内腔部７３１に挿入されている（図１１参照）。【００７９】
図１０に示すように、胴部５５は、蛇腹状をなした筒状体で構成されている。すなわち、胴部５５は、外形において大径リング部５５２と小径リング部５５３とが軸方向に交互に配列された蛇腹状をなしている。このような胴部５５は、弁体５１をその先端側から基端側に向って（頭部５０が蓋部７３の第１の内腔部７３１に挿入される方向に）付勢する変形部（付勢手段）として機能している。【００８０】
このように胴部５５が変形部として機能していることにより、別途に付勢手段を構成するための部品をコネクタ５Ａに設ける必要がなく、部品点数の減少、構造の簡素化に寄与することができる。【００８１】
また、この胴部５５は、弁体５１がその先端側から基端側に向って復元する復元力の大半を担っているが、頭部５０がその復元力の一部を担っいてもよい。【００８２】
図１に示すように、コネクタ５Ａ（コネクタ５Ａ’も同様）のオスロック部８Ａは、基部（オスロック部本体）８１と、基部８１から突出する突出部８２と、突出部８２に設けられた一対の爪部８３Ａ、８３Ａと、各爪部８３Ａを付勢する付勢部８４とを有している。【００８３】
基部８１は、その形状が長尺状をなしている。
基部８１（オスロック部８Ａ）のｙ軸正方向には、基部８１に隣接してオスコネクタ部６のオスコネクタ部本体６１が固着（固定）されている。また、基部８１のｘ軸正方向には、その方向に突出した突出部８２が形成されている。【００８４】
突出部８２のｚ軸方向（図１中上下方向）には、それぞれ、爪部８３Ａおよび８３Ａが設けられている。すなわち、爪部８３Ａおよび８３Ａが、突出部８２を介して、対向して配置されている。両爪部８３Ａ、８３Ａは、それぞれ長尺状（板片状）をなし、端部（他端部）８３１同士が互いにｚ軸方向に接近・離間する。【００８５】
図４〜図８に示すように、各爪部８３Ａは、それぞれ、その端部８３１に設けられた、段差部（第１のオス側係合部）８３２と、鋭角部８３４とを有している。【００８６】
図５（図６〜図８も同様）に示すように、段差部８３２は、爪部８３Ａの端部８３１の厚さが急峻に変化した部位である。この段差部８３２は、側面視で（ｙ軸方向から見たとき）Ｌ字状をなす２つの平面を有している。換言すれば、段差部８３２は、ｚ軸方向（爪部８３Ａ同士が接近・離間する方向）とほぼ平行な爪部側第１の面８３５と、爪部側第１の面８３５にほぼ垂直な爪部側第２の面８３６とを有している。【００８７】
鋭角部８３４は、爪部側第１の面８３５に隣接した爪部側第３の面８３７を有している。この爪部側第３の面８３７は、爪部側第１の面８３５と鋭角をなす傾斜面である。【００８８】
また、各爪部８３Ａの端部（一端部）の両側面には、それぞれ、凹部（第２のオス側係合部）８３３が設けられている。【００８９】
各凹部８３３の近傍には、突出部８２と各爪部８３Ａとを連結する付勢部８４が設けられている。この付勢部８４は、両爪部８３Ａ、８３Ａのそれぞれの端部８３１（段差部８３２）が互いに離間するように各爪部８３Ａを付勢する。【００９０】
このような構成のオスロック部８Ａは、オスコネクタ部６と対応する（隣接した）位置にある（図１参照）。また、オスロック部８Ａとオスコネクタ部６とは、それぞれ、ｘ軸方向に沿って形成されている、すなわち、接続方向（突出方向）が互いに平行となっている。【００９１】
図１に示すように、メスロック部９Ａおよび９Ｂは、それぞれ、コネクタ５Ａ’のオスロック部８Ａが連結可能な部位である。【００９２】
メスロック部９Ａは、基部８１（オスロック部８Ａ）に対し、ｘ軸負方向に設けられている。また、メスロック部９Ｂは、基部８１（オスロック部８Ａ）に対し、ｚ軸正方向に設けられている。メスロック部９Ａとメスロック部９Ｂとの形状（構成）は、ほぼ同一であるため、以下、メスロック部９Ｂについて代表的に説明する。
メスロック部９Ｂは、全体形状としてほぼ管状をなしている。【００９３】
図４および図９に示すように、メスロック部９Ｂには、コネクタ５Ａ’のオスロック部８Ａの各段差部８３２（各爪部８３Ａ）と係合可能な第１のメス側係合部（係合部）９１と、コネクタ５Ａ’のオスロック部８Ａの各凹部８３３と係合可能な第２のメス側係合部９２と、コネクタ５Ａ’のオスロック部８Ａの各爪部８３Ａを操作可能な操作部（操作片）９３とが設けられている。【００９４】
図４に示すように、第１のメス側係合部９１は、メスロック部９Ｂの内周部の途中が内側に向かって突出した突部９１１を有している。この突部９１１は、ロック状態で、爪部側第１の面８３５に当接する（対応する）係合部側第１の面９１２と、爪部側第２の面８３６に当接する係合部側第２の面９１３とを有している（図４（ｃ）、図６、図７参照）。【００９５】
図９（ａ）に示すように、第２のメス側係合部９２は、メスロック部９Ｂの内周部の途中に、突部９１１と異なる位置に、突出して設けられている。図９（ｂ）に示すように、第２のメス側係合部９２がコネクタ５Ａ’のオスロック部８Ａの凹部８３３に係合することにより、コネクタ５Ａとコネクタ５Ａ’とがハーフロック状態となる。【００９６】
図１に示すように、操作部９３は、第１のメス側係合部９１に対して、ｚ軸負方向に設けられた小片で構成されている。この操作部９３は、ロック状態のコネクタ５Ａ’（オスロック部８Ａ）の両爪部８３Ａの端部８３１を互いに接近させるように、各爪部８３Ａ操作（押圧）する。【００９７】
また、操作部９３は、その外面が第１のメス側係合部９１の外面とほぼ同一面上にあるように形成されている。これにより、操作部９３に対して不本意に触れる（押圧する）のを防止することができる。すなわち、ロック状態を不本意に解除するのを防止することができる。【００９８】
このような構成のメスロック部９Ｂは、メスコネクタ部７Ｂと対応する（隣接する）位置にある（図１参照）。また、メスロック部９Ｂとメスコネクタ部７Ｂとは、それぞれ、ｚ軸方向に沿って形成されている、すなわち、接続方向（形成方向）が互いに平行となっている。【００９９】
このように、コネクタ５Ａでは、オス同士（オスロック部８Ａおよびオスコネクタ部６）、メス同士（メスロック部９Ｂおよびメスコネクタ部７Ｂ）がそれぞれ対応している。これにより、メスコネクタ部７Ｂとオスコネクタ部６とを確認することによって、コネクタ５Ａとコネクタ５Ａ’とを正確（確実）に接続することができ、または、メスロック部９Ｂとオスロック部８Ａとを確認することによっても、コネクタ５Ａとコネクタ５Ａ’とを正確（確実）に接続することができる。【０１００】
なお、メスロック部９Ｂとオスコネクタ部６とが隣接し、オスロック部８Ａとメスコネクタ部７Ｂとが隣接する構成としてもよい。【０１０１】
なお、凹部８３３の形成数は、４つに限定されず、例えば、２つ、６つなどの偶数個であってもよい。【０１０２】
次に、コネクタ５Ａとコネクタ５Ａ’との接続過程（ハーフロック状態、ロック状態、さらに、ロック状態を解除したロック解除（ロック解除状態））について説明する。なお、コネクタ５Ａ’の爪部８３Ａは、２つあるが、各爪部８３Ａの接続過程は、同等であるため、一方（図４中上側）の爪部８３Ａについて説明する。【０１０３】
図１（図９（ａ））に示すように、コネクタ５Ａとコネクタ５Ａ’とが互いに離間した状態から、コネクタ５Ａ’のオスロック部８Ａをコネクタ５Ａのメスロック部９Ｂに接近させる。【０１０４】
図４（ａ）に示すように、コネクタ５Ａ’のオスロック部８Ａがコネクタ５Ａのメスロック部９Ｂの開口部９４から、当該メスロック部９Ｂ内に挿入される。【０１０５】
図４（ｂ）および図５に示すように、さらに、コネクタ５Ａ’のオスロック部８Ａをコネクタ５Ａのメスロック部９Ｂ内に挿入すると、コネクタ５Ａの第１のメス側係合部９１（突部９１１）の係合部側第２の面９１３が、コネクタ５Ａ’の付勢部８４の付勢力に抗して、コネクタ５Ａ’の爪部８３Ａの爪部側第３の面８３７（鋭角部８３４の頂部）を押圧する。【０１０６】
このとき、図９（ｂ）に示すように、コネクタ５Ａ’の凹部８３３がコネクタ５Ａの第２のメス側係合部９２に係合する、すなわち、コネクタ５Ａ’とコネクタ５Ａとがハーフロック状態となる。このとき、コネクタ５Ａ’のオスロック部８Ａ（開口部６２３）とコネクタ５Ａのメスロック部９Ｂ（頂面５１１）とが互いに当接（近接）している（図２参照）。これにより、ハーフロック状態からロック状態へ変化させるときに、コネクタ５Ａ’のオスコネクタ部６の端面が確実にコネクタ５Ａの弁体５１の頂面５１１を迅速に押圧することができる。【０１０７】
コネクタ５Ａ’のオスロック部８Ａをコネクタ５Ａのメスロック部９Ｂ内にさらに押し込むと、コネクタ５Ａ’の凹部８３３とコネクタ５Ａの第２のメス側係合部９２との係合が外れる、すなわち、ハーフロック状態が解除される。【０１０８】
この状態から、コネクタ５Ａ’のオスロック部８Ａとコネクタ５Ａのメスロック部９Ｂとをさらに接近させる（互いに接近する方向に押圧する）と、ロック状態となる、換言すれば、コネクタ５Ａ’の爪部８３Ａの爪部側第３の面８３７が、コネクタ５Ａの第１のメス側係合部９１の係合部側第２の面９１３を超える。その後、コネクタ５Ａ’の爪部８３Ａは、付勢部８４によって、外側（図６中上方）に弾かれる。【０１０９】
コネクタ５Ａ’の爪部８３Ａが弾かれる方向には、コネクタ５Ａの第１のメス側係合部９１の係合部側第２の面９１３に位置しており、当該係合部側第２の面９１３に、コネクタ５Ａ’の爪部８３Ａの段差部８３２の爪部側第２の面８３６が衝突することとなる（図４（ｃ）および図６参照）。この衝突により、ロック状態を認識可能なロック音が発せられる。また、このロック音は、振動として、コネクタ５Ａおよび５Ａ’を介して、操作者（使用者）の手に伝達される。このようなロック音により、ロック状態を聴覚および触覚から確認することができる。【０１１０】
また、図６に示すように、衝突直後（押圧操作完了直後）には、コネクタ５Ａ’の爪部８３Ａの爪部側第１の面８３５と、コネクタ５Ａの第１のメス側係合部９１の係合部側第１の面９１２との間に間隙９５が生じる。これにより、前記衝突が比較的大きな衝突となり、よって、ロック状態をより確実に認識（確認）することができる。【０１１１】
このようなハーフロック状態およびロック状態は、コネクタ５Ａ’の他方の（図４中下側）の爪部８３Ａについても同様である。【０１１２】
図１２に示すように、ロック状態のとき、コネクタ５Ａ’のオスコネクタ部６の開口部６２３がコネクタ５Ａの頭部５０の頂面５１１を軸方向に押圧している。これにより、胴部５５が軸方向に変形し（圧縮され）、頭部５０が第１の内腔部７３１から移動して、第２の内腔部７２３に入り込む。頭部５０は、それまで第１の内腔部７３１内で第１の内腔部７３１の内周面７３４に規制されていたが、第２の内腔部７２３に移動したことにより、頭部５０の外周面の規制が解除または緩和され、その結果、軸方向の圧縮により、図１２中の矢印方向に充分に拡径することができる、すなわち、充分に変形することができる。従って、スリット５１２が確実かつ充分に開く（開口する）ことができる。また、これにより、弁体５１（スリット５１２）を介して、コネクタ５Ａ’のオスコネクタ部６の液体流路６２１と、コネクタ５Ａのメスコネクタ部７Ｂの内部突起７２５の内腔部（中空部）とが連通する、すなわち、流通可能に接続され、よって、例えば、輸液、輸血、栄養投与等の際、液体が円滑に通過することができる。【０１１３】
また、ロック状態のとき、弁体５１の胴部５５の付勢力に抗して、コネクタ５Ａ’のオスコネクタ部６の開口部６２３が弁体５１の頭部５０を押圧するため、当該オスコネクタ部６の開口部６２３と頭部５０（弁体５１）の頂面５１１とが密着する。これにより、オスコネクタ部６とメスコネクタ部７Ｂとの接続の液密性を保持することができる、すなわち、これらを確実に液密に接続することができる。【０１１４】
また、弁体５１の胴部５５の付勢力によって、コネクタ５Ａ’の爪部８３Ａの爪部側第１の面８３５と、コネクタ５Ａの第１のメス側係合部９１の係合部側第１の面９１２との間の間隙９５が解消され、爪部側第１の面８３５と係合部側第１の面９１２とが密着する。【０１１５】
コネクタ５Ａ’とコネクタ５Ａとのロック状態の解除（ロック解除（アンロック））は、コネクタ５Ａの各操作部９３をそれぞれ操作することにより行われる。【０１１６】
図７に示すように、各操作部９３をそれぞれ、付勢部８４の付勢力に抗して、内側に押圧操作する。これにより、コネクタ５Ａ’の爪部８３Ａ（段差部８３２）の爪部側第１の面８３５は、コネクタ５Ａの第１のメス側係合部９１の係合部側第１の面９１２を摺動しつつ、当該係合部側第１の面９１２を乗り越えようとする。【０１１７】
さらに、各操作部９３への押圧操作を行なうことにより、コネクタ５Ａ’の爪部８３Ａの爪部側第１の面８３５は、コネクタ５Ａの第１のメス側係合部９１の係合部側第１の面９１２を勢い良く（弾かれるように）乗り越える（図８参照）。これにより、ロック状態が解除され、このロック解除時に、当該ロック解除を認識可能なロック解除音（アンロック音）が発せられる。また、このロック解除音は、振動として、コネクタ５Ａおよび５Ａ’を介して、操作者の手に伝達される。このようなロック解除音により、ロック解除状態を聴覚および触覚から確認することができる。【０１１８】
これにより、操作者は、その後の操作、すなわち、コネクタ５Ａとコネクタ５Ａ’とを離間させる操作を、迅速に行なうことができる。【０１１９】
また、このようなロック解除状態は、コネクタ５Ａ’の他方の（図４中下側）の爪部８３Ａについても同様である。【０１２０】
また、ロック解除状態では、コネクタ５Ａ、５Ａ’の接続前状態と同様に、コネクタ５Ａの弁体５１のスリット５１２が再度、閉じることとなる。【０１２１】
前述したように、ロック音は、コネクタ５Ａ’の爪部８３Ａの段差部８３２の爪部側第２の面８３６と、コネクタ５Ａの第１のメス側係合部９１の係合部側第２の面９１３との衝突により、生じる（図６参照）。また、ロック解除音は、コネクタ５Ａ’の爪部８３Ａの爪部側第１の面８３５が、コネクタ５Ａの第１のメス側係合部９１の係合部側第１の面９１２乗り越えることにより、生じる（図８参照）。【０１２２】
このように各音を生じさせる部位が異なることにより、ロック音とロック解除音とは、音質が互いに異なることとなる。【０１２３】
ロック音とロック解除音とは、音質や音量が互いに異なるため、これらの音質や音量を聞き分けることにより、コネクタ同士がロック状態となっているか、または、ロック解除状態となっているかを認識することができる。【０１２４】
また、爪部８３Ａは、２つ設けられており、ロック解除時では、当該各爪部８３Ａの第１のメス側係合部９１に対する係合解除がそれぞれ行われるため、ロック解除音（ロック音も同様）は、２回（２度）聞こえる。このとき、はじめてロック解除状態となる。なお、各操作部９３の操作タイミングによっては、すなわち、まれに各爪部８３Ａの第１のメス側係合部９１に対する係合解除がほとんど同時に行なわれた場合には、ロック解除音は、１回に聞こえるが、事実上は、２回（２箇所）で生じている。【０１２５】
ロック解除音が１回のみ生じた場合は、２つの爪部８３Ａのうち、一方の爪部８３Ａのみ係合が解除され、他方の爪部８３Ａの係合が解除されていない状態となっている。このため、ロック解除が完全には、行なわれていないと判断することができる。【０１２６】
鋭角部８３４の位置は、その動作方向に平行な面（仮想面）８３８（爪部側第１の面８３５と爪部側第２の面８３６との接線に接する）から突出するのが好ましい（図８参照）。これにより、鋭角部８３４の先端（頂部）が第１のメス側係合部の突部９１１を瞬間的に乗り越えていくため、はっきりとしたロック解除音を発し易い。また、同様に、はっきりとしたロック音（ロック接続音）を発し易い。【０１２７】
また、鋭角部８３４の鋭角の大きさ（角度θ（図５参照））は、特に限定されないが、例えば、９０度未満であるのが好ましい。【０１２８】
角度θがこのような数値範囲内であると、ロック解除音がより容易かつ確実に生じる。また、ロック時（ロック接続時）、ロック解除時のそれぞれで、爪部８３Ａの変形が少ない（抑制される）ため、爪部８３Ａに変形ぐせがつきにくく、コネクタ同士を繰り返して使用したときにも、はっきりとしたロック音とロック解除音とを発し易いと言う利点もある。【０１２９】
図１３に示すように、輸液投与部２は、患者の血管１１０に留置される留置針またはカテーテル（本実施形態では、留置針２１）と、この留置針またはカテーテル（本実施形態では、留置針２１）の基端部に接続された輸液投与部側コネクタ２６とを有している。【０１３０】
留置針２１（またはカテーテル）の構成材料としては、留置する部位によっては、翼付静注針など金属の針のものでもよいが、好ましくは可撓性を有する高分子材料、例えば、ポリエチレン、ポリプロピレン等のポリオレフィン、ポリエステル、ポリウレタン等の熱可塑性樹脂等が挙げられる。【０１３１】
輸液投与部側コネクタ２６は、第２の輸液チューブ４ａが接続されているコネクタ５Ａのオスロック部８Ａおよびオスコネクタ部６とそれぞれ接続し得るメスロック部９Ａおよびメスコネクタ部７Ａと、これらと同様のメスロック部９Ｂおよびメスコネクタ部７Ｂと、オスコネクタ部２６３とを有している。【０１３２】
また、オスコネクタ部２６３の軸と、メスコネクタ部７Ａの軸とは、略一致し、メスコネクタ部７Ｂの軸は、これらの軸と略直交している。すなわち、オスコネクタ部２６３と、メスコネクタ部７Ａとは、互いに反対方向を向いており、メスコネクタ部７Ｂは、これらオスコネクタ部２６３およびメスコネクタ部７Ａに対し、略垂直な方向を向いている。【０１３３】
輸液投与部側コネクタ２６は、オスコネクタ部２６３に、ワンタッチで止められるストップクランプ２５を通したチューブ２４が液密に接続されている。チューブ２４の先端側は、オスコネクタ部２３が接続されている。オスコネクタ部２３は、ルアーコネクタ、ルアーロックコネクタなど、留置針やカテーテルの出口ポート２１１と液密に接続され得るものであれば、特に限定されないが、ルアーロックコネクタが好ましい。【０１３４】
留置針２１は、その基端部に、出口ポート２１１を有しており、この出口ポート２１１に、前記輸液投与部側コネクタ２６に取り付けられたオスコネクタ部２３が液密に接続されている。【０１３５】
次に、第１の輸液チューブ４ｂおよび第２の輸液チューブ４ａを説明するが、これら第１の輸液チューブ４ｂと第２の輸液チューブ４ａとの構成は同様であるので、代表的に、第２の輸液チューブ４ａを説明する。【０１３６】
第２の輸液チューブ４ａは、可撓性（柔軟性）を有し、輸液の流路を構成するチューブ４１と、チューブ４１の一方の端部（先端部）に設けられたコネクタ４３と、チューブ４１の他方（本実施形態では、他方の端部（基端部））に設けられ、輸液が収納された輸液バッグ（輸液容器）（収納部）３１側に接続される接続部として、鋭利な針先を有する瓶針４５１とを備えている。【０１３７】
チューブ４１の構成材料としては、例えば、軟質ポリ塩化ビニル、エチレン−酢酸ビニル共重合体、ポリエチレン、ポリプロピレン、ポリブタジエン等、あるいはこれらを主とする材料が挙げられる。【０１３８】
また、チューブ４１の途中には、輸液の流量を調節する流量調節手段として、スライド式のクレンメ（スライドクレンメ）４６と、点滴筒４４とが、それぞれ、設けられている。このスライドクレンメ４６としては、特に限定されず、従来公知のものを用いることができるが、例えば、特開２００４−４９３１９号公報のようなものが挙げられる。【０１３９】
また、スライドクレンメ４６は、ローラー型のクレンメなど、流量を調節できるものであれば、他のものでも構わない。【０１４０】
輸液バッグ３１内には、所定の輸液が収納されており、瓶針４５１がこの輸液バッグ３１の栓（ゴム栓）を穿通（穿刺）すると、瓶針４５１を介し、輸液バッグ３１と第２の輸液チューブ４ａとが接続され、輸液バッグ３１から第２の輸液チューブ４ａ側へ輸液が供給され得る状態となる。【０１４１】
点滴筒４４は、瓶針４５１の近傍に設置されている。この点滴筒４４により、輸液の流量を目視で確認することができる。【０１４２】
また、逆流防止弁４９が、コネクタ４３と点滴筒４４の間に設置されている。逆流防止弁４９は、輸液バッグ３１からコネクタ５Ａの方向への一方向弁である。逆流防止弁４９は、コネクタ４３と点滴筒４４の間であれば、どこに設置されても良いが、好ましくは、コネクタ４３により近い所、更に好ましくは、コネクタ４３の内部に設置される方が良い。【０１４３】
逆流防止弁４９は、その内部に、図示しない一対の板状の開閉部材が形成された弁本体を有し、各開閉部材は、弾性力（復元力）により互いに密着し、これにより、逆流防止弁４９内の流路は、閉塞している。輸液流が先端側から基端側に向いている場合には、その輸液により圧力が各開閉部材の外面にかかり、開閉部材同士を密着させるように作用する。このため、輸液は、先端側から基端側には流れない。【０１４４】
一方、輸液流が基端側から先端側に向いている場合には、その輸液により所定の圧力が各開閉部材の基端側（テーパ面）にかかり、その圧力により各開閉部材が離間する方向に変位し、逆流防止弁４９内の流路が開通する。これにより、輸液は、基端側から先端側に流れる。【０１４５】
逆流防止弁４９は、輸液ポンプなどによって注入が確実な場合には無くとも良い場合もあるが、設置されていることがより好ましい。この第２の輸液チューブ４ａによれば、第２の輸液チューブ４ａのコネクタ５Ａに接続された第１の輸液チューブ４ｂからある程度の圧力を加えて輸液を投与しても、逆流防止弁４９により、その輸液が第２の輸液チューブ４ａの上流側（基端側）へ流れ込むのを防止することができ、確実に、輸液を患者へ投与することができる。【０１４６】
チューブ４１の先端部には、コネクタ４３が設けられている。このコネクタ４３は、オスコネクタ部６とオスロック部８Ａとを有している。これにより、コネクタ４３は、コネクタ５Ａと接続することができる。【０１４７】
このように、コネクタ５Ａ、コネクタ４３および輸液投与部側コネクタ２６には、オスロック部８Ａおよびメスロック部９Ａ、９Ｂの少なくとも１つの部位が設けられているため、これらのコネクタ同士を接続したときには、従来のルアーロックのようにネジ式のものと比べて、捻れた状態でロックされるということを防ぐことができる。すなわち、このような接続方法を用いることにより、輸液チューブが多数繋がれた場合にも、輸液チューブが一定の方向に整列した状態を、簡単に保つことができる。【０１４８】
また、さらに、オスロック部８Ａとメスロック部９Ｂとの接続の状態は、前述したように、ハーフロック状態と、ロック状態とをとり得る。【０１４９】
例えば、コネクタ４３のオスコネクタ部６は、第２の輸液チューブ４ａを使用するまでは、コネクタ５Ａのメスコネクタ部７Ｂに設置されている弁体５１を開通させない程度の位置で、緩く嵌合されている。すなわち、コネクタ４３は、第２の輸液チューブ４ａを使用するまでは、コネクタ５Ａとハーフロック状態で接続されている。これにより、弁体５１が輸液を流す直前まで、変形することなく保持され、弁体５１の機能を全く損なわずに使用することができる。【０１５０】
また、ロック状態では、コネクタ４３のオスコネクタ部６とコネクタ５Ａのメスコネクタ部７Ｂとは液密に接続されているため、第２の輸液チューブ４ａからコネクタ５Ａへ液体を確実に流通させることができる。【０１５１】
次に、輸液チューブセット１の作用（使用方法）を説明する。
ここでは、第２の輸液チューブ４ａを、患者に輸液を投与するための第１輸液ライン（第１輸液ルート）、すなわち、主に、基本液等が流される輸液チューブとし、第１の輸液チューブ４ｂを、患者に輸液を投与するための第２輸液ライン（第２輸液ルート）、すなわち、主に、副ルートとして用い、例えば、脂肪乳剤、治療薬、抗生剤等が流される輸液チューブとする場合を例に挙げて説明する。【０１５２】
第２の輸液チューブ４ａを接続するにあたり、まず、輸液バッグ３１に、例えば維持輸液剤を調剤する。【０１５３】
次に、コネクタ４３のオスコネクタ部６をコネクタ５Ａのメスコネクタ部７Ｂに押し込み、液密に嵌合させる。【０１５４】
次に、図１３に示すように、この輸液の収納された輸液バッグ３１の栓（ゴム栓）に第２の輸液チューブ４ａの瓶針４５１を穿通（穿刺）する。これにより、瓶針４５１を介し、輸液バッグ３１と第２の輸液チューブ４ａとが接続され、輸液バッグ３１から第２の輸液チューブ４ａ側へ輸液が供給され得る状態となる。
次に、第２の輸液チューブ４ａの流路をプライミングする。【０１５５】
次に、患者の血管１１０（例えば、末梢静脈等）に留置された留置針２１の出口ポート２１１に接続された輸液投与部側コネクタ２６のメスコネクタ部７Ａに、第２の輸液チューブ４ａのコネクタ５Ａのオスコネクタ部６を挿入し、嵌合させる。これにより、輸液投与部側コネクタ２６のメスコネクタ部７Ａと第２の輸液チューブ４ａのコネクタ５Ａのオスコネクタ部６とが液密に接続される。このとき、輸液投与部側コネクタ２６のメスロック部９Ａとコネクタ５Ａのオスロック部８Ａとがロック状態となり、接続が容易に解除されるのが防止されている。【０１５６】
次に、第２の輸液チューブ４ａのスライドクレンメ４６を操作し、第２の輸液チューブ４ａの輸液の流量（投与速度）を維持輸液剤の指示流量（指示投与速度）に調節し、その輸液を投与する。【０１５７】
なお、輸液投与部側コネクタ２６を省略し、第２の輸液チューブ４ａのコネクタ５Ａのオスコネクタ部６を、留置針２１の出口ポート２１１に接続してもよい。【０１５８】
次に、患者の容態によって、一定時間の間隔をおいて、例えば抗生剤を投与するために用いる第１の輸液チューブ４ｂを接続するにあたり、まず、輸液バッグ３２に抗生剤を溶解した生理食塩水を調剤する。【０１５９】
次に、第１の輸液チューブ４ｂのコネクタ４３のオスコネクタ部６をコネクタ５Ａのメスコネクタ部７Ｂに押し込み、液密に嵌合させる。【０１６０】
次に、この輸液の収納された輸液バッグ３２の栓（ゴム栓）に第１の輸液チューブ４ｂの瓶針４５１を穿通（穿刺）する。これにより、瓶針４５１を介し、輸液バッグ３２と第１の輸液チューブ４ｂとが接続され、輸液バッグ３２から第１の輸液チューブ４ｂ側へ輸液が供給され得る状態となる。
次に、第１の輸液チューブ４ｂの流路をプライミングする。【０１６１】
次に、図１４に示すように、第２の輸液チューブ４ａのコネクタ５Ａのメスコネクタ部７Ａに、第１の輸液チューブ４ｂのコネクタ５Ａのオスコネクタ部６を挿入し、嵌合させる。これにより、第２の輸液チューブ４ａのコネクタ５Ａのメスコネクタ部７Ａと第１の輸液チューブ４ｂのコネクタ５Ａのオスコネクタ部６とが液密に接続される。このとき、第２の輸液チューブ４ａのメスロック部９Ａと第１の輸液チューブ４ｂのオスロック部８Ａとがロック状態となり、接続が容易に解除されるのが防止されている。【０１６２】
次に、第１の輸液チューブ４ｂのスライドクレンメ４６を操作し、第１の輸液チューブ４ｂの輸液の流量（投与速度）を抗生剤の指示流量（指示投与速度）に調節し、その輸液を投与する。【０１６３】
このようにして、第２の輸液チューブ４ａから維持輸液剤を、第１の輸液チューブ４ｂから抗生剤を溶解した生理食塩水を、それぞれ、患者に投与することができる（混注することができる）。【０１６４】
また、輸液ライン（輸液ルート）を増設する場合には、前記と同様にして、第１の輸液チューブ４ｂのコネクタ５Ａのメスコネクタ部７Ａに、図示しない他の輸液チューブのコネクタ５Ａのオスコネクタ部６を挿入し、嵌合させる。これにより、第１の輸液チューブ４ｂのコネクタ５Ａのメスコネクタ部７Ａと他の輸液チューブのコネクタ５Ａのオスコネクタ部６とが液密に接続される。
以下、同様にして、輸液ラインをいくつでも増設することができる。【０１６５】
なお、前記輸液チューブセット１の使用方法は、一例であり、これに限定されるものではない。【０１６６】
例えば、輸液を第２の輸液チューブ４ａから患者に投与している場合において、第１の輸液チューブ４ｂにより、その補充を行ってもよい。【０１６７】
以上説明したように、この輸液チューブセット１によれば、常に、輸液チューブの接続用のポート（メスコネクタ部７Ａ、７Ｂおよびオスコネクタ部６）が存在するので、容易、迅速かつ確実に、輸液ライン（輸液ルート）を増設することができる。【０１６８】
すなわち、常に、輸液チューブの接続用のポートが存在するので、例えば、患者の容態の急変時等に輸液チューブの接続ポートが足りなくなることが防止される。【０１６９】
また、前記各輸液ラインは、液密のものとなる。
また、輸液ラインを増設する際は、一方のコネクタ５Ａのオスロック部８Ａを他方のコネクタ５Ａのメスロック部９Ａまたは９Ｂへ挿入するだけでよいので、既に接続されている輸液チューブから輸液を投与（例えば、薬剤を微量投与）しつつ、輸液ラインを増設することができる。これにより、例えば、血中の薬剤濃度が変化して、症状に変化が出るリスクを回避することができる。【０１７０】
また、輸液ラインを増設する際は、輸液ラインを開放して再度組み立てて接続し直す必要がない。これにより、輸液ラインの繋ぎ違えや細菌によるルート汚染の機会が増大する等のリスクを回避することができる。【０１７１】
なお、本発明では、輸液チューブセットにおける輸液チューブの数は、１つでもよく、また、３つ以上でもよい。【０１７２】
また、本発明では、輸液チューブセットが複数の輸液チューブを有する場合、その輸液チューブは、すべて同一でもよく、また、すべて異なっていてもよく、また、一部のみ同一でもよい。【０１７３】
以上、本発明のコネクタおよび輸液チューブセットを図示の実施形態について説明したが、本発明は、これに限定されるものではなく、コネクタおよび輸液チューブセットを構成する各部は、同様の機能を発揮し得る任意の構成のものと置換することができる。また、任意の構成物が付加されていてもよい。【０１７４】
また、メスコネクタ部の形成数は、２つであるのに限定されず、例えば、３つ以上であってもよい。【０１７５】
また、コネクタでは、オスコネクタ部とオスロック部とが互いに対応しており、メスコネクタ部とメスロック部とが互いに対応しているが、この対応に限定されず、例えば、オスコネクタ部とメスロック部とが互いに対応しており、メスコネクタ部とオスロック部とが互いに対応していてもよい。
【産業上の利用可能性】
【０１７６】
本発明のコネクタは、内腔部を有するオスコネクタ部と、内腔部を有し、当該内腔部に前記オスコネクタ部と同様の他のオスコネクタ部が接続可能なメスコネクタ部と、前記オスコネクタ部と接続方向が互いに平行となるように隣接して設けられたオスロック部またはメスロック部と、前記メスコネクタ部と接続方向が互いに平行となるように隣接して設けられ、前記オスロック部と同様の他のオスロック部が連結可能なメスロック部、または該メスロック部と同様の他のメスロック部が連結可能なオスロック部と、弾性材料で構成され、前記他のオスロック部と前記メスロック部とが連結されるロック状態となったとき、前記他のオスコネクタ部と前記メスコネクタ部との接続の液密性を保持するシール部材とを備え、前記ロック状態を解除するロック解除時に、該ロック解除を認識可能なロック解除音を発するよう構成されている。そのため、ロック解除状態を解除したロック解除を、その音（ロック解除音）として認識（確認）することができる。また、ロック解除音は、振動としても、コネクタを介して、操作者の手に伝達される。このように、コネクタでは、ロック解除音により、ロック解除の状態を聴覚および触覚から確認することができる。これにより、例えば、ロック状態のコネクタ同士に対して、ロック解除操作を行なったつもりでも、実際にはロック解除がされていない場合が生じるのが確実に防止される。従って、本発明のコネクタは、産業上の利用可能性を有する。
【図１】
2008062741.tif 000003
【図２】
2008062741.tif 000004
【図３】
2008062741.tif 000005
【図４】
2008062741.tif 000006
【図５】
2008062741.tif 000007
【図６】
2008062741.tif 000008
【図７】
2008062741.tif 000009
【図８】
2008062741.tif 000010
【図９】
2008062741.tif 000011
【図１０】
2008062741.tif 000012
【図１１】
2008062741.tif 000013
【図１２】
2008062741.tif 000014
【図１３】
2008062741.tif 000015
【図１４】
2008062741.tif 000016
【国際調査報告】
2008062741.tif 000017
2008062741.tif 000018
2008062741.tif 000019
2008062741.tif 000020